(57)【要約】【課題】主に各種電子機器の操作に使用される導光シート及びこれを用いた可動接点体に関し、発光色のばらつきを防ぎ、均一で多様な照光が可能なものを提供することを目的とする。【解決手段】凹凸状の複数の発光部２上方の基材１上面に、拡散層１５を設けることによって、発光部２で反射した光を上方の拡散層１５で拡散することで、発光部２の凸部２Ａが見えづらくなると共に、この拡散した光によって照光が行われるため、発光色のばらつきのない、均一で多様な照光が可能な導光シート１６、及びこれを用いた可動接点体１９を得ることができる。【選択図】図１
2010225346.tif 000002
【特許請求の範囲】
【請求項１】
フィルム状の基材と、この基材に形成された凹凸状の複数の発光部からなり、上記発光部上方の上記基材上面に、拡散層を設けた導光シート。
【請求項２】
請求項１記載の導光シートの発光部下面に、略ドーム状で導電金属薄板製の可動接点を装着した可動接点体。
【発明の詳細な説明】
【技術分野】
【０００１】
本発明は、主に各種電子機器の操作に使用される導光シート及びこれを用いた可動接点体に関するものである。
【背景技術】
【０００２】
近年、各種電子機器、特に携帯電話等の携帯端末機器においては、周囲が暗い場合でも、押釦や表示シート等の識別や操作が容易に行えるように、発光ダイオードやＥＬ素子等を発光させて操作部の照光を行うものが増えており、これらの機器に用いられる可動接点体やスイッチにも、使い易く多様な照光を行えるものが求められている。
【０００３】
このような従来の導光シートや可動接点体について、図３を用いて説明する。
【０００４】
なお、この図面は構成を判り易くするために、部分的に寸法を拡大して表している。
【０００５】
図３は従来のスイッチの断面図であり、同図において、１は光透過性でフィルム状の基材、２は複数の凸部２Ａと凹部２Ｂから形成された凹凸状の発光部で、基材１下面の所定箇所に複数の発光部２が設けられて、導光シート３が形成されている。
【０００６】
また、４はフィルム状のベースシート、５は略ドーム状で導電金属薄板製の可動接点で、ベースシート４外周の所定箇所が、接着剤（図示せず）によって導光シート３下面に貼付されると共に、複数の可動接点５が発光部２下方のベースシート４下面に貼付されて、可動接点体６が構成されている。
【０００７】
さらに、７は上下面に複数の配線パターン（図示せず）が形成された配線基板で、上面には略円形状の中央固定接点８Ａと、これを囲む略馬蹄状または略リング状の外側固定接点８Ｂから形成された、複数の固定接点８が設けられている。
【０００８】
そして、この配線基板７上面に可動接点体６が、各々の可動接点５の外周が外側固定接点８Ｂ上に載置され、可動接点５の下面中央が中央固定接点８Ａと所定の間隙を空けて、対向するように貼付されている。
【０００９】
また、９は発光ダイオード等の発光素子で、複数の発光素子９が導光シート３側方の配線基板７上面に実装され、基材１の端面に発光面を向けて配置されている。
【００１０】
さらに、１０は光透過性でフィルム状の表示シートで、下面に印刷等によって形成された遮光部１０Ａの所定箇所が、文字や記号等の形状にくり抜かれて複数の表示部１０Ｂが形成され、この表示部１０Ｂが導光シート３の発光部２上方に配置されて、スイッチが構成されている。
【００１１】
そして、このように構成されたスイッチが、携帯電話等の電子機器の操作面に装着されると共に、複数の中央固定接点８Ａや外側固定接点８Ｂ、複数の発光素子９が配線パターン等を介して、機器の電子回路（図示せず）に接続される。
【００１２】
以上の構成において、表示シート１０の所定の表示部１０Ｂを下方へ押圧操作すると、この下方の導光シート３やベースシート４が撓んで可動接点５の略ドーム状の中央部が押圧され、所定の押圧力が加わると、可動接点５がクリック感を伴って下方へ弾性反転し、可動接点５の下面中央が中央固定接点８Ａに接触することによって、中央固定接点８Ａと外側固定接点８Ｂが、可動接点５を介して電気的に接続された状態となる。
【００１３】
また、表示シート１０への押圧力を解除すると、弾性復帰力によって可動接点５が上方へ弾性反転し、可動接点５の下面中央が中央固定接点８Ａから離れて、中央固定接点８Ａと外側固定接点８Ｂが電気的に切断された状態となる。
【００１４】
そして、このような固定接点８の電気的接離に応じて、機器の各機能の切換えが行われると共に、機器の電子回路から発光素子９に電源が供給されると、複数の発光素子９が発光し、この光が端面から導光シート３内に入射して、基材１内を反射しながら内方へ進む。
【００１５】
さらに、この光が基材１下面の複数の発光部２の凸部２Ａで反射して、これらの上方の表示シート１０の表示部１０Ｂを下方から照光し、複数の表示部１０Ｂが照光されることによって、周囲が暗い場合でも、表示部１０Ｂの文字や記号等の表示が識別でき、操作を容易に行うことが可能なようになっている。
【００１６】
つまり、表示シート１０を押圧操作することによって導光シート３上面を押圧し、可動接点５を弾性反転させて固定接点８の電気的接離を行うと共に、発光素子９の光を端面から導光シート３内に導入し、複数の発光部２を発光させることによって、表示シート１０の複数の表示部１０Ｂを照光するように構成されているものであった。
【００１７】
なお、この出願の発明に関連する先行技術文献情報としては、例えば、特許文献１が知られている。
【特許文献１】特開２００８−３０５６５５号公報
【発明の開示】
【発明が解決しようとする課題】
【００１８】
しかしながら、上記従来の可動接点体６やスイッチにおいては、発光素子９によって複数の発光部２を発光させ、表示シート１０の表示部１０Ｂの照光を行った際、光が反射する凸部２Ａは明るく、凹部２Ｂはこれよりやや暗く発光するため、上方から複数の凸部２Ａが見えてしまうと共に、同じ発光部２内で明るさのばらつきが生じ、表示部１０Ｂの照光がまだらなものになってしまうという課題があった。
【００１９】
本発明は、このような従来の課題を解決するものであり、発光色のばらつきを防ぎ、均一で多様な照光が可能な導光シート及びこれを用いた可動接点体を提供することを目的とする。
【課題を解決するための手段】
【００２０】
上記目的を達成するために本発明は、以下の構成を有するものである。
【００２１】
本発明の請求項１に記載の発明は、凹凸状の複数の発光部上方の基材上面に、拡散層を設けて導光シートを構成したものであり、凹凸状の発光部で反射した光を上方の拡散層で拡散することによって、発光部の凸部が見えづらくなると共に、この拡散した光によって照光が行われるため、発光色のばらつきのない、均一で多様な照光が可能な導光シートを得ることができるという作用を有する。
【００２２】
請求項２に記載の発明は、請求項１記載の導光シートの発光部下面に、略ドーム状で導電金属薄板製の可動接点を装着して可動接点体を構成したものであり、発光色のばらつきがなく、均一で多様な照光が可能なスイッチを実現することができるという作用を有する。
【発明の効果】
【００２３】
以上のように本発明によれば、発光色のばらつきがなく、均一で多様な照光が可能な導光シート及びこれを用いた可動接点体を実現することができるという有利な効果が得られる。
【発明を実施するための最良の形態】
【００２４】
以下、本発明の実施の形態について、図１及び図２を用いて説明する。
【００２５】
なお、これらの図面は構成を判り易くするために、部分的に寸法を拡大して表している。
【００２６】
また、背景技術の項で説明した構成と同一構成の部分には同一符号を付して、詳細な説明を簡略化する。
【００２７】
（実施の形態）
図１は本発明の一実施の形態による可動接点体の断面図であり、１はフィルム状でポリウレタンやシリコーン、スチレン等の可撓性を有する光透過性の基材で、この基材１下面には印刷等によって、ポリエステルやエポキシ等の白色や乳白色等の複数の凸部２Ａがドット状に形成されると共に、この凸部２Ａと基材１下面の凹部２Ｂによって、複数の凹凸状の発光部２が設けられている。
【００２８】
そして、この発光部２上方の基材１上面には印刷等によって、フェノキシやエポキシ等の光透過性の絶縁樹脂内に、粒径０．１〜５μｍ前後でホルムアルデヒドやメラミン、アクリル等の樹脂粒子が分散された、厚さ１０〜３０μｍ前後の薄い白色や乳白色等の拡散層１５が形成されて、導光シート１６が構成されている。
【００２９】
また、４はフィルム状でポリエチレンテレフタレート等のベースシート、５は略ドーム状で銅合金や鋼等の導電金属薄板製の可動接点で、ベースシート４外周の所定箇所が、アクリルやシリコーン等の接着剤１７によって導光シート１６下面に貼付されると共に、複数の可動接点５が発光部２下方のベースシート４下面に貼付されている。
【００３０】
さらに、１８はポリエチレンテレフタレート等のフィルム状のセパレータで、このセパレータ１８がベースシート４下面全面を覆うように貼付され、保管・搬送時に可動接点５下面に塵埃等が付着しないようにして、可動接点体１９が構成されている。
【００３１】
また、図２はこのような可動接点体１９を用いたスイッチの断面図であり、同図において、７はポリエチレンテレフタレートやポリカーボネート等のフィルム状、または紙フェノールやガラス入りエポキシ等の板状の配線基板で、上下面に銅等によって複数の配線パターン（図示せず）が形成されると共に、上面には銅やカーボン等によって、略円形状の中央固定接点８Ａと、これを囲む略馬蹄状または略リング状の外側固定接点８Ｂから形成された、複数の固定接点８が設けられている。
【００３２】
そして、この配線基板７上面にセパレータ１８を剥離した可動接点体１９が、各々の可動接点５の外周が外側固定接点８Ｂ上に載置され、可動接点５の下面中央が中央固定接点８Ａと所定の間隙を空けて、対向するように貼付されている。
【００３３】
また、９は発光ダイオード等の発光素子で、複数の発光素子９が導光シート１６側方の配線基板７上面に実装され、基材１の端面に発光面を向けて配置されている。
【００３４】
さらに、１０は光透過性でフィルム状の表示シートで、下面に印刷等によって形成された遮光部１０Ａの所定箇所が、文字や記号等の形状にくり抜かれて複数の表示部１０Ｂが形成され、この表示部１０Ｂが導光シート１６の発光部２上方に配置されて、スイッチが構成されている。
【００３５】
そして、このように構成されたスイッチが、携帯電話等の電子機器の操作面に装着されると共に、複数の中央固定接点８Ａや外側固定接点８Ｂ、複数の発光素子９が配線パターン等を介して、機器の電子回路（図示せず）に接続される。
【００３６】
以上の構成において、表示シート１０の所定の表示部１０Ｂを下方へ押圧操作すると、この下方の導光シート１６やベースシート４が撓んで可動接点５の略ドーム状の中央部が押圧され、所定の押圧力が加わると、可動接点５がクリック感を伴って下方へ弾性反転し、可動接点５の下面中央が中央固定接点８Ａに接触することによって、中央固定接点８Ａと外側固定接点８Ｂが、可動接点５を介して電気的に接続された状態となる。
【００３７】
また、表示シート１０への押圧力を解除すると、弾性復帰力によって可動接点５が上方へ弾性反転し、可動接点５の下面中央が中央固定接点８Ａから離れて、中央固定接点８Ａと外側固定接点８Ｂが電気的に切断された状態となる。
【００３８】
そして、このような固定接点８の電気的接離に応じて、機器の各機能の切換えが行われると共に、機器の電子回路から発光素子９に電源が供給されると、複数の発光素子９が発光し、この光が端面から導光シート１６内に入射して、基材１内を反射しながら内方へ進む。
【００３９】
さらに、この光が基材１下面の複数の発光部２の凸部２Ａで反射した後、拡散層１５で拡散されて、これらの上方の表示シート１０の表示部１０Ｂを下方から照光し、複数の表示部１０Ｂが照光されることによって、周囲が暗い場合でも、表示部１０Ｂの文字や記号等の表示が識別でき、操作を容易に行うことが可能なようになっている。
【００４０】
つまり、表示シート１０を押圧操作することによって導光シート１６上面を押圧し、可動接点５を弾性反転させて固定接点８の電気的接離を行うと共に、発光素子９の光を端面から導光シート１６内に導入し、複数の発光部２を発光させることによって、表示シート１０の複数の表示部１０Ｂを照光するように構成されている。
【００４１】
そして、この時、凹凸状の複数の発光部２上方の基材１上面には、拡散層１５が形成され、発光部２の凸部２Ａで反射して光が拡散層１５で拡散された後、上方へ出射して表示部１０Ｂを照光することによって、発光部２の凸部２Ａが見えづらくなると共に、同じ発光部２内で発光色のばらつきのない、均一で多様な照光が行えるようになっている。
【００４２】
すなわち、発光部２の凸部２Ａで反射し、基材１上面から上方へ出射した光が拡散層１５内で拡散され、拡散層１５上面全体が発光することで、上方から発光部２の凸部２Ａが見えづらくなると共に、ばらつきのない均一な発光色で、上方の表示部１０Ｂの照光が行われるように構成されている。
【００４３】
なお、拡散層１５内に分散する樹脂粒子には、上述したように粒径０．１〜５μｍ前後の大きさのものを用いることが可能であるが、粒径が小さすぎると光の拡散が不充分となり、大きすぎると光が遮られ発光色が暗くなるため、可視光の波長０．４〜０．８μｍよりもやや大きな、粒径０．４〜１．５μｍのものを用いることがより好ましい。
【００４４】
また、以上の説明では、基材１の下面に凹凸状の複数の発光部２を形成すると共に、この発光部２上方の基材１上面に拡散層１５を形成した構成について説明したが、基材１上面に複数の発光部２を設け、この上面に拡散層１５を重ねて形成した構成としても、本発明の実施は可能である。
【００４５】
このように本実施の形態によれば、凹凸状の複数の発光部２上方の基材１上面に、拡散層１５を設けることによって、発光部２で反射した光を上方の拡散層１５で拡散することで、発光部２の凸部２Ａが見えづらくなると共に、この拡散した光によって照光が行われるため、発光色のばらつきのない、均一で多様な照光が可能な導光シート１６、及びこれを用いた可動接点体１９を得ることができるものである。
【００４６】
なお、以上の説明では、印刷によって凹凸状の複数の発光部２を形成した構成について説明したが、印刷以外にも貼付やインクジェット、レーザ加工、プレス加工、成形加工等、様々な方法によっても発光部２の形成は可能である。
【００４７】
さらに、以上の説明では、下面に複数の可動接点５が貼付されたベースシート４を、導光シート１６の下面に貼付した構成について説明したが、ベースシート４をなくし、導光シート１６の発光部２下面に複数の可動接点５を直接貼付した構成とすれば、全体の構成部品数を減らし、可動接点体をより簡易で安価なものとすることができる。
【産業上の利用可能性】
【００４８】
本発明による導光シート及びこれを用いた可動接点体は、発光色のばらつきを防ぎ、均一で多様な照光が可能なものが得られ、主に各種電子機器の操作用として有用である。
【図面の簡単な説明】
【００４９】
【図１】本発明の一実施の形態による可動接点体の断面図
【図２】同スイッチの断面図
【図３】従来のスイッチの断面図
【符号の説明】
【００５０】
１  基材
２  発光部
２Ａ  凸部
２Ｂ  凹部
４  ベースシート
５  可動接点
７  配線基板
８  固定接点
８Ａ  中央固定接点
８Ｂ  外側固定接点
９  発光素子
１０  表示シート
１０Ａ  遮光部
１０Ｂ  表示部
１５  拡散層
１６  導光シート
１７  接着剤
１８  セパレータ
１９  可動接点体
【図１】
2010225346.tif 000003
【図２】
2010225346.tif 000004
【図３】
2010225346.tif 000005